(57)【要約】【課題】本発明は、従来に無い非常に便利な筆記用具である。本品を挿着することにより、人差し指一本、もしくは親指を軽く添える程度で正確に文字、絵、記号等書く事ができる。また、けがなどにより人差し指を使えない場合でも、本品により薬指、小指でも筆記が可能である。筆記作業により手、指にかかる握力持続による負担を軽減することができる。安価で、児童から大人までが使用できる汎用性を持った筆記用具を提供する。【解決手段】本発明は、筆記具と指先を一体化したものであり、指先の第一関節までを完全に固定することにより、どの指を使用しても、ほぼ正確に筆記できるものであり、さらにグリップ用ベルト３を用いることにより、安定度、正確性を増すものである。【選択図】図１
2007320302.tif 000002
【特許請求の範囲】
【請求項１】
本来の筆記具本体に、指先を固定するためのサック及びキャップを一体化した筆記具。
【請求項２】
本来の筆記の形態は、人差し指、親指、中指を用いて筆記作業をするが、すべてに重要なのは、各指の第一関節がしっかり固定されていることが正確に書くという基本である。本品は、第一関節の完全固定化により、人差し指一本だけでも筆記作業が可能となるものである。
【請求項３】
文字、絵、記号などの筆記作業をより正確にするために、後部にグリップ用ベルトを設けたものである。なお、子供から大人まで使用できるように、Ｓ、Ｍ、Ｌ、他、数サイズの交換が可能とする。
【請求項４】
人差し指以外の他の指でも筆記できるように、指密着補正部をＳ、Ｍ、Ｌ、他、数サイズを用意する。
【請求項５】
子供から大人までが、より正確に筆記できるよう、１本体のサイズもＳ、Ｍ、Ｌ、他、数サイズを用意する。
【請求項６】
本発明における主要部分は、軟質プラスチック、硬質プラスチック、軽金属、皮、布製等を用いて製造可能である。
【請求項７】
指密着補正部は、各人の指の大きさ、形状の違いを補うために、材質は軟性のウレタンフォームを用い、さらに、伸縮性のあるガーゼ状布地をウレタンフォームにくるんだものである。例えば、くつの中に用いる中敷の役目のようなものである。
【請求項８】
本体１は、指ムレ防止等のために、指先部分に開口部を設け、指の汗等の吸収用に、１ｄにガーゼ状の布地を用いたものである。指の挿着の安定化とより正確な筆記のために３グリップ用ベルトを設け、各指のサイズの違いをマジックテープで調節することができる。また、マジックテープにより瞬時に着脱が可能である。グリップ用ベルトの内側にも、ウレタンフォームにガーゼ状布地を付けたものである。
【発明の詳細な説明】
【技術分野】
【０００１】  本発明は、従来の筆記作業の、大幅な指の負担の軽減と、指の疲労による不正確さを補助するもの。親指、人差し指、中指の各指がけがをしても人差し指、中指一本でもほぼ正確に筆記できる筆記具である。
【背景技術】
【０００２】  従来の筆記作業は、親指、人差し指、中指の三本の指で筆記具を持ち、微妙に各指の握力を調整し、また、握力をかけ続けることで文字、絵、記号等を書いていた。
【発明の開示】
【発明が解決しようとする課題】
【０００３】  以上に述べた従来の筆記作業の形態は、親指、人差し指、中指の三本の各指を、それぞれの握力を調整し、持続しなければ筆記はできなかった。また、筆記具を持ったまま、手放さずに他の作業を行うのは困難である。例えば、パソコンのキーボードのキー入力、はさみを使う、印鑑を捺印する等さまざまな作業。【０００４】  各指一本でもけがしている場合、筆記作業は困難であった。本発明は、人差し指一本、もしくは、中指一本、他の指でも筆記は可能である。
【課題を解決するための手段】
【０００５】  本発明は、上記目的を達成するために、親指、人差し指、中指の三本の指で、常時握らなくても書けるものであるため、筆記作業による指への負担が大幅に軽減できる。【０００６】  本体の２固定筆記具部分が、完全収納型であり、且つ、１指挿着部より後方にあることにより、パソコンのキー入力が可能となる。また、はさみを使う、印鑑を捺印するなどのほとんどの事務作業が、本体を挿着したまま行うことができる。
【発明の効果】
【０００７】  長時間の筆記作業においての、指の疲労による不正確さを補助するものである。また、指の疲労の軽減に役立つものである。【０００８】  各指に、互いの握力をかけ続けなければ筆記作業にはならなかった。本品を挿着することにより、指先が固定されたため、その握力は不要となり指にかかる負担を大幅に軽減できるものである。握力の弱まった老人、病人、また、幼児も楽に筆記できるものである。【０００９】  各指一本でもけがした場合、筆記作業は困難であったが、本品を挿着することにより、人差し指一本、もしくは中指一本、他の指でも筆記が可能である。
【発明を実施するための最良の形態】
【００１０】  以下、本発明の実施の形態を図に基づいて説明する。１は、ウレタン樹脂等の、耐久性プラスチック適宣素材にて形成された、一本の指を挿着固定する本体。人差し指を指先挿入部より挿入し、指先部を挿着し固定する。１ａ開口部はムレを防ぐための通気口。１本体の内側は密着性を増すためにウレタンフォームを使用。さらに、隙間をなくし、よりフィットするように、そして、ムレ防止のためにも効果がある伸縮性ガーゼ状布地をウレタンフォームに施す。【００１１】  ３は、指の挿着をより安定させるためのグリップ用ベルト。このグリップ用ベルトは、軟質プラスチック合成ゴム、布、皮などの素材を使用。また、本品と指との着脱を容易にするために、３に３ａマジックテープを付したものである。さらに、各指のサイズを補正するためのものでもある。固定度が増す事により、従来の親指、人差し指、中指の三本の指を使って筆記するのと、変わりない筆記作業の効果を発揮する。【００１２】  ２は、１本体に固定されている図７ボールペン、図９シャープペンシル、図１５シャーボペンシル、図１１棒状消しゴム等である。親指で２ｃ、２ｄのノック部を使って先端の出し入れをする。収納後は、図１０、図１２、図１４のごとく、先端が完全に収納される。そのため、安全で、瞬時に他の作業に移ることができる便利な利点があります。なお、キーボードの入力作業等支障なく作業を進める効果がある。【００１３】  人差し指の負傷で、文字等の筆記作業の困難な人には中指、薬指でもほぼ正確に筆記できます。例えば、大事な試験の時けがで書けない。人差し指を、けがして筆記具を持てない人のために、大変役立つものである。【００１４】  より熟練すれば、人差し指で図７ボールペン型を、中指で図９シャープペンシルを、薬指で図１１消しゴムを同時に挿着し、とても便利な筆記具となる。さらに、シャープペンシルとボールペン両用型を使用することにより、機能性を発揮できるものである。【００１５】  握力の未発達な幼児にも、本品図１６で、文字、絵、記号、などの学習に役立つものである。
【図面の簡単な説明】
【００１６】
【図１】  本発明の実施使用を示す挿着図
【図２】  同本体の上面図
【図３】  同本体の側面図
【図４】  同本体の前面図
【図５】  同本体の図３における中間断面図
【図６】  同本体の図３における後面図
【図７】  筆記用具（ボールペン）の使用状態を示す側面図
【図８】  同本体の図３における断面図
【図９】  筆記用具（シャープペンシル）使用状態を示す側面図
【図１０】  図９におけるペン先収納図
【図１１】  筆記用具（消しゴム）使用状態を示す側面図
【図１２】  図１１における消しゴム収納図
【図１３】  ボールペン、シャープペンシル両用型の側面図
【図１４】  図１３におけるペン収納図
【図１５】  ボールペン、シャープペンシル両用型の上面図
【図１６】  幼児用筆記用具側面図
【符号の説明】
【００１７】１    本体
１ａ  指先開口部
１ｂ  固定化フレ止め部
１ｃ  グリップ用ベルト通し切り込み部
１ｄ  指密着補正部
２    固定筆記具
２ａ  ペン先
２ｂ  ペン先フレ止め補強部
２ｃ  ペン先をだすノック部
２ｄ  ペン先を収納するノック部
２ｅ  シャープペンシルの芯を収納するノック部
２ｆ  シャープペンシルの芯先
２ｇ  消しゴム
３    グリップ用ベルト
３ａ  マジックテープ
３ｂ  ３の裏、指密着補正部
【図１】
2007320302.tif 000003
【図２】
2007320302.tif 000004
【図３】
2007320302.tif 000005
【図４】
2007320302.tif 000006
【図５】
2007320302.tif 000007
【図６】
2007320302.tif 000008
【図７】
2007320302.tif 000009
【図８】
2007320302.tif 000010
【図９】
2007320302.tif 000011
【図１０】
2007320302.tif 000012
【図１１】
2007320302.tif 000013
【図１２】
2007320302.tif 000014
【図１３】
2007320302.tif 000015
【図１４】
2007320302.tif 000016
【図１５】
2007320302.tif 000017
【図１６】
2007320302.tif 000018